(57)【要約】  基板を挿脱自在な複数のスロットを有する筐体と、少なくとも１つの制御基板と、前記制御基板と接続され、入力されたＳＤＨ信号またはＰＤＨ信号をパケット信号へ変換して前記制御基板へ出力するＰＷＥインタフェース通信ユニットと、  前記制御基板と接続され、前記パケット信号を無線信号に変換して出力する無線伝送用通信ユニットと、前記制御基板と接続され、前記パケット信号を光伝送信号に変換して出力する光伝送用通信ユニットとを有し、前記各ユニットを前記複数のスロットにそれぞれ設けた伝送装置。
2012160932.tif 000002
【特許請求の範囲】
【請求項１】
基板を挿脱自在な複数のスロットを有する筐体と、
少なくとも１つの制御基板と、
前記制御基板と接続され、入力されたＳＤＨ（Synchronous Digital Hierarchy）信号またはＰＤＨ（Pre Synchronous Digital Hierarchy）信号をパケット信号へ変換して前記制御基板へ出力するＰＷＥ（Pseudo Wire Emulation）インタフェース通信ユニットと、
前記制御基板と接続され、前記パケット信号を無線信号に変換して出力する無線伝送用通信ユニットと、
前記制御基板と接続され、前記パケット信号を光伝送信号に変換して出力する光伝送用通信ユニットと、
を有し、前記各ユニットを前記複数のスロットにそれぞれ設けた
ことを特徴とする伝送装置。
【請求項２】
前記制御基板と接続され、入力されたＳＤＨ信号またはＰＤＨ信号を前記制御基板へ出力するＳＤＨ／ＰＤＨ信号用通信ユニットを前記スロットに更に設け、
前記ＰＷＥインタフェース通信ユニットは、前記ＳＤＨ／ＰＤＨ信号用通信ユニットおよび前記制御基板を経由して出力された前記ＳＤＨ信号またはＰＤＨ信号を受け取って前記パケット信号へ変換して出力する
ことを特徴とする請求項１に記載の伝送装置。
【請求項３】
前記制御基板は、前記ＳＤＨ／ＰＤＨ信号用通信ユニットから受け取った前記ＳＤＨ信号またはＰＤＨ信号を振り分け処理により前記前記無線伝送用通信ユニットに出力する手段を有し、
前記前記無線伝送用通信ユニットは受け取った前記ＳＤＨ信号またはＰＤＨ信号を無線信号に変換して出力する
ことを特徴とする請求項２に記載の伝送装置。
【請求項４】
前記ＰＷＥインタフェース通信ユニットは、pseudo-wire技術によりＳＤＨ／ＰＤＨ信号をパケット信号に変換することを特徴とする請求項１に記載の伝送装置。
【請求項５】
前記制御基板は、予め設定された、または外部装置から得た情報に基づいて通信処理に利用すると判定した、前記無線伝送用通信ユニットまたは前記光伝送用通信ユニットへ、前記パケット信号を出力する
ことを特徴とする請求項１および２の何れか一項に記載の伝送装置。
【請求項６】
基板を挿脱自在な複数のスロットを有する筐体と、少なくとも１つの制御基板とを有し、前記制御基板と接続された、ＰＷＥインタフェース通信ユニット、無線伝送用通信ユニット、光伝送用通信ユニットを前記複数のスロットにそれぞれ設けた伝送装置の処理方法であって、
前記ＰＷＥインタフェース通信ユニットが、入力されたＳＤＨ信号またはＰＤＨ信号をパケット信号へ変換して出力し、
前記無線伝送用通信ユニットが、前記パケット信号を無線信号に変換して出力し、
前記光伝送用通信ユニットが、前記パケット信号を光伝送信号に変換して出力する
ことを特徴とする処理方法。
【請求項７】
前記制御基板と接続され、入力されたＳＤＨ信号またはＰＤＨ信号を前記制御基板へ出力するＳＤＨ／ＰＤＨ信号用通信ユニットを、前記スロットに更に設け、
前記ＰＷＥインタフェース通信ユニットが、前記ＳＤＨ／ＰＤＨ信号用通信ユニットおよび前記制御基板を経由して出力された前記ＳＤＨ信号またはＰＤＨ信号を受け取って前記パケット信号へ変換して出力する
ことを特徴とする請求項６に記載の処理方法。
【発明の詳細な説明】
【技術分野】
【０００１】
本発明は、通信信号を中継する伝送装置及びその処理方法に関する。
本願は、２０１１年５月２０日に出願された特願２０１１−１１３２２２号に基づき優先権を主張し、その内容をここに援用する。
【背景技術】
【０００２】
無線伝送特性は、空間伝搬による通信ではあるが天候や障害物等の環境条件により、伝送性能が変動する場合がある。したがって無線伝送の場合、天候悪化時には伝送帯域を制限して運用する必要がある。
一方で、光伝送は媒体として光ファイバを使用するため、地震、火災、道路工事等の影響により、光ファイバが切断されるリスクがある。したがって、光伝送の場合は、震災等で光ファイバが切断されると迂回ルートを設定して切断された回線の使用を避け、光ファイバ切断を復旧させることが必要となる。
なお、本願発明に関連する技術が特許文献１に開示されている。
【先行技術文献】
【特許文献】
【０００３】
【特許文献１】特開２００１−０５７５２７号公報
【発明の概要】
【発明が解決しようとする課題】
【０００４】
ここで、光伝送による通信と、無線信号による通信とを、それらの通信状況に応じて適宜切り替えることのできる伝送装置であって、既存の伝送装置においてそのような機能拡張を容易に行うことのできる伝送装置の技術が望まれている。
そこでこの発明は、このような課題を解決することのできる伝送装置及びその処理方法を提供することを目的としている。
【課題を解決するための手段】
【０００５】
上記目的を達成するために、本発明は、基板を挿脱自在な複数のスロットを有する筐体と、
少なくとも１つの制御基板と、
前記制御基板と接続され、入力されたＳＤＨ（Synchronous Digital Hierarchy）信号またはＰＤＨ（Pre Synchronous Digital Hierarchy）信号をパケット信号へ変換して前記制御基板へ出力するＰＷＥ（Pseudo Wire Emulation）インタフェース通信ユニットと、
前記制御基板と接続され、前記パケット信号を無線信号に変換して出力する無線伝送用通信ユニットと、
前記制御基板と接続され、前記パケット信号を光伝送信号に変換して出力する光伝送用通信ユニットと、
を有し、前記各ユニットを前記複数のスロットにそれぞれ設けたことを特徴とする伝送装置を提供する。【０００６】
上記構成において、前記制御基板と接続され、入力されたＳＤＨ信号またはＰＤＨ信号を前記制御基板へ出力するＳＤＨ／ＰＤＨ信号用通信ユニットを前記スロットに更に設け、
前記ＰＷＥインタフェース通信ユニットは、前記ＳＤＨ／ＰＤＨ信号用通信ユニットおよび前記制御基板を経由して出力された前記ＳＤＨ信号またはＰＤＨ信号を受け取って前記パケット信号へ変換して出力するようにしても良い。【０００７】
また本発明は、基板を挿脱自在な複数のスロットを有する筐体と、少なくとも１つの制御基板とを有し、前記制御基板と接続された、ＰＷＥインタフェース通信ユニット、無線伝送用通信ユニット、光伝送用通信ユニットを前記複数のスロットにそれぞれ設けた伝送装置の処理方法であって、
前記ＰＷＥインタフェース通信ユニットが、入力されたＳＤＨ信号またはＰＤＨ信号をパケット信号へ変換して出力し、
前記無線伝送用通信ユニットが、前記パケット信号を無線信号に変換して出力し、
前記光伝送用通信ユニットが、前記パケット信号を光伝送信号に変換して出力する処理方法も提供する。【０００８】
上記構成において、前記制御基板と接続され、入力されたＳＤＨ信号またはＰＤＨ信号を前記制御基板へ出力するＳＤＨ／ＰＤＨ信号用通信ユニットを、前記スロットに更に設け、
前記ＰＷＥインタフェース通信ユニットは、前記ＳＤＨ／ＰＤＨ信号用通信ユニットおよび前記制御基板を経由して出力された前記ＳＤＨ信号またはＰＤＨ信号を受け取って前記パケット信号へ変換して出力するようにしても良い。
【発明の効果】
【０００９】
本発明によれば、Pseudo-Wire技術によるＳＤＨ／ＰＤＨ信号をパケット信号へ変換する通信ユニットを伝送装置のスロットに挿入することにより、制御基板内にパケットスイッチのみを保持するような伝送装置に対して、ＳＤＨ／ＰＤＨ信号用の信号を、無線信号または光伝送信号に変換して適応する側に出力するような伝送装置を提供することができる。
また、本発明によれば、入力された信号に対して冗長構成を取り、無線信号による出力または光伝送による出力を適応的に振り分けることができるため、環境、激甚災害などの変動時にも信頼性の高い通信の転送をすることができる。
つまり、環境悪化により無線伝送帯域に制約が出た場合は光伝送により補完し、激甚災害などにより光ファイバが切断された場合は、無線伝送により伝送路を確保することが可能である。
【図面の簡単な説明】
【００１０】
【図１】本発明の実施形態による伝送装置が適用される通信ネットワークの構成図である。
【図２】同実施形態の伝送装置の概略外観図である。
【図３】同実施形態の伝送装置の各構成要素の接続構成を示す図である。
【図４】制御基板と通信ユニットの主な信号の接続構成を示す第１の図である。
【図５】制御基板と通信ユニットの主な信号の接続構成を示す第２の図である。
【図６】制御基板と通信ユニットの主な信号の接続構成を示す第３の図である。
【図７】制御基板と通信ユニットの主な信号の接続構成を示す第４の図である。
【発明を実施するための形態】
【００１１】
以下、本発明の実施形態について図面を参照して詳細に説明する。
図１は、この実施形態の伝送装置２（図２参照）が適用される通信ネットワーク５０の構成図である。
通信ネットワーク５０は、携帯電話機等の無線端末５１と、無線基地局５２と、無線回線制御局５３と、コアネットワーク５４と、外部網５５とを有している。
無線端末５１は、無線基地局５２からの電波が届いている範囲で通信が可能となっている。
無線基地局５２は、その上位にある無線回線制御局５３と接続されており、各無線回線制御局５３は、複数の無線基地局５２を制御している。
無線回線制御局５３は、基幹回線網であるであるコアネットワーク５４と接続されている。
コアネットワーク５４は、外部網５５（例えば、他の通信事業者の移動体通信網や一般公衆回線網等）と接続されている。
【００１２】
各々の無線基地局５２及び無線回線制御局５３には、無線通信装置１が設置されており、無線基地局５２同士の通信、及び無線基地局５２と無線回線制御局５３との通信は、無線で行われている。
無線通信装置１は、マイクロ波を利用することによって、高速無線通信を可能にする通信装置であり、電波を送受信するアンテナなどの屋外用装置と、受信した電波を処理する伝送装置２などの室内用装置とを有する。
【００１３】
図２は、伝送装置２の概略外観図である。
無線通信装置１の一機能として含まれる伝送装置２は、直方体形状の筐体３と、この筐体３に搭載される複数の通信ユニット４（図では各々“Ｉ／Ｆ”と表示）と、制御基板５と、電源ユニット７と、外部機器接続用基板８とを有する。
通信ユニット４、制御基板５、電源ユニット７、及び外部機器接続用基板８は、筐体３の開口と対向する背面側に配置されたマザーボード９(後述の図３参照）を介して接続されている。
【００１４】
筐体３は、前面が開口を有する箱状の筐体本体を有する。筐体本体１０の両側面には、複数の通風穴が形成されている。以下、開口を構成する面と垂直な方向を奥行方向、奥行方向と直交する水平方向を左右方向と称する。
筐体３の内部空間は、本実施形態においては、開口側から見て左右方向に４分割された４つの領域を有し、上下方向に６つの段に分割されている（５段目、６段目は共通部とされている）。上側の４段は、基板を挿脱自在な複数のスロットとして機能している。
なお、筐体３の内部空間は、開口側から見て左右方向に任意の分割数の領域を有し、また上下方向にも任意の分割数の領域を有しているように構成してもよい。
なお、マザーボード９には、通信ユニット４、制御基板５、電源ユニット７、及び外部機器接続用基板８を接続可能な複数のコネクタが、対応する位置に設けられている。
【００１５】
次に、伝送装置２の各構成要素の接続構成、及び各構成要素の詳細について説明する。
図３に示すように、通信ユニット４ａ〜４ｂ（総称して上記通信ユニット４と呼ぶ）、制御基板５、ファンユニット６、電源ユニット７、及び外部機器接続用基板８は、マザーボード９を介して接続されている。
伝送装置２は、制御基板５と、電源ユニット７と、ファンユニット６をそれぞれ２台ずつ有しており、通信ユニット４も複数接続が可能な構成となっている。
【００１６】
２つの電源ユニット７（図３では、"PS 1" 、"PS 2" と記載）は同一の構成を有しており、マザーボード９を介して、制御基板５、ファンユニット６、及び外部機器接続用基板８に電力を供給するように構成されている。伝送装置２が必要とする電力は、１つの電源ユニット７によって供給可能である。
つまり、２つの電源ユニット７のうち、片方が停止（故障）している場合でも伝送装置２は運用可能に構成されている。
【００１７】
２つの電源ユニット７は、通常時においては、並列に動作され必要とされる電力を分担して供給するように設定されている。一方、片方の電源ユニット７が故障した場合、故障していない電源ユニット７が全ての電力を供給するように設定されている。また、電源ユニット７は、無線通信装置１の運用を停止させることなく、故障した電源ユニット７を交換できるように構成されている。
【００１８】
２つの制御基板５（図３では、"MAIN CARD 1" 、"MAIN CARD 2" と記載）も、同一の構成を有しており、それぞれに伝送装置２の各構成要素を統括し制御を行う制御基板５が搭載されている。つまり、片方の制御基板５が停止していても伝送装置２は運用可能である。また、制御基板５は、無線通信装置１の運用を停止させることなく、故障した制御基板５を交換できるように構成されている。
【００１９】
２つのファンユニット６（図３では、"FAN 1" 、"FAN 2" と記載）も、同一の構成を有しており、各々が２つのファンを有し、上述したように、筐体３の内部の空気を排出するように構成されている。通常時においては、２つのファンユニット６、つまり４つのファンが稼働するように設定されている。１つのファンユニット６が故障した場合、残りのファンユニット６の風力を増加させるように設定されている。
【００２０】
通信ユニット４は、ここでの一例として、ＳＤＨ（Synchronous Digital Hierarchy）／ＰＤＨ（Pre Synchronous Digital Hierarchy）信号用通信ユニット４ａ（図３では、"LOW I/F" と記載）、パケット信号用通信ユニット４ｂ（図３では、"LOW I/F" と記載）、無線伝送用通信ユニット４ｃ（図３では、"HIGH I/F" と記載）、光伝送用通信ユニット４ｄ（図３では、"HIGH I/F" と記載）を接続可能である。
制御基板５は、これらＳＤＨ／ＰＤＨ信号用通信ユニット４ａ、パケット信号用通信ユニット４ｂ、無線伝送用通信ユニット４ｃ、光伝送用通信ユニット４ｄの信号制御を行うことができる。
また、制御基板５は、ＳＤＨ／ＰＤＨ信号用通信ユニット４ａ、パケット信号用通信ユニット４ｂ、無線伝送用通信ユニット４ｃ、光伝送用通信ユニット４ｄの間の信号の変換および転送をすることが可能である。
【００２１】
外部機器接続用基板８（図３では、"TERM" と記載）は、パーソナルコンピュータ等の外部機器と制御基板５とを接続するための基板であり、図示しないが、外部機器接続用基板８の前面パネルには、通信を可能にするためのコネクタが設けられている。外部機器接続用基板８は、２つの制御基板５のいずれにも接続可能に構成されている。
【００２２】
図４は、制御基板５と通信ユニット４の主な信号の接続構成を示す第１の図である。
まず、制御基板５と、ＳＤＨ／ＰＤＨ信号用通信ユニット４ａ、パケット信号用通信ユニット４ｂ、無線伝送用通信ユニット４ｃ、光伝送用通信ユニット４ｄの主な信号の接続構成について説明する。
図４に示すように、ＳＤＨ／ＰＤＨ信号用通信ユニット４ａ、パケット信号用通信ユニット４ｂ、無線伝送用通信ユニット４ｃ、光伝送用通信ユニット４ｄは、マザーボード９（図４に図示せず）を介して制御基板５と接続されている。
制御基板５には、ＴＤＭ（Time Division Multiplex：時分割多重化）データの転送処理を行うＴＤＭスイッチ４５と、パケット通信データの転送処理を行うパケットスイッチ４６が搭載されている。
【００２３】
ＳＤＨ／ＰＤＨ信号用通信ユニット４ａは、マザーボード９を介して制御基板５のＴＤＭスイッチ４５に接続される。なお、ＳＤＨ／ＰＤＨ信号用通信ユニット４ａは、マザーボード９を介して制御基板５のパケットスイッチ４６に接続されていてもよい。
また、パケット信号用通信ユニット４ｂは、マザーボード９を介して制御基板５のパケットスイッチ４６に接続される。なお、パケット信号用通信ユニット４ｂは、マザーボード９を介して制御基板５のＴＤＭスイッチ４５に接続されていてもよい。
また、無線伝送用通信ユニット４ｃは、マザーボード９を介して制御基板５のＴＤＭスイッチ４５に接続されると共に、マザーボード９を介して制御基板５のパケットスイッチ４６に接続されている。
また、光伝送用通信ユニット４ｄ（高速インタフェースカード）も、マザーボード９を介して制御基板５のパケットスイッチ４６に接続されると共に、マザーボード９を介して制御基板５のＴＤＭスイッチ４５に接続されている。
【００２４】
そして、本実施形態の伝送装置２においては、制御基板５のＴＤＭスイッチ４５がクライアント信号としてのＳＤＨ／ＰＤＨ信号を受け取り、また制御基板５のパケットスイッチ４６がクライアント信号としてのパケット信号（例えば、Ｅｔｈｅｒｎｅｔ（登録商標）信号）を受け取る。
そして、制御基板５のＴＤＭスイッチ４５またはパケットスイッチ４６は、受け取った信号を、無線伝送用通信ユニット４ｃへ出力するか、または光伝送用通信ユニット４ｄへ出力する制御を行う。無線伝送用通信ユニット４ｃは、受け取った信号を無線信号により出力し、また光伝送用通信ユニット４ｄは、受け取った信号を光伝送信号により出力する。
【００２５】
制御基板５（スイッチカード）においては、ＳＤＨ／ＰＤＨ信号用通信ユニット４ａからのＳＤＨ／ＰＤＨ信号をＴＤＭスイッチ４５が受け取ると、当該ＴＤＭスイッチ４５は、スイッチング処理により回線単位で方路振り分けを行う。これにより、通信信号は、無線伝送用通信ユニット４ｃまたは光伝送用通信ユニット４ｄへ出力される。
同様に、パケット信号用通信ユニット４ｂからのパケット信号をパケットスイッチ４６が受け取ると、当該パケットスイッチ４６は、スイッチング処理によりフロー単位で方路振り分けを行う。これにより、通信信号は、無線伝送用通信ユニット４ｃまたは光伝送用通信ユニット４ｄへ出力される。
【００２６】
無線伝送用通信ユニット４ｃ（モデムカード）は、ＴＤＭスイッチ４５から入力された通信信号を終端するＴＤＭ終端４１ｃと、パケットスイッチ４６から入力された通信信号を終端するパケット終端４２ｃとを備えている。無線伝送用通信ユニット４ｃは、入力した通信信号を終端することで、各レイヤでのフレーム処理を行う。
また無線伝送用通信ユニット４ｃは、通信信号の多重制御を行う多重処理部４３ｃと、通信信号を無線フレームへと変換する無線フレーム変換部４４ｃとを備える。
【００２７】
また、光伝送用通信ユニット４ｄ（ＳＤＨインタフェースカード）は、ＴＤＭスイッチ４５から入力された通信信号を終端するＴＤＭ終端４１ｄと、パケットスイッチ４６から入力された通信信号を終端するパケット終端４２ｄとを備えている。光伝送用通信ユニット４ｄは、入力した通信信号を終端することで、各レイヤでのフレーム処理を行う。
また光伝送用通信ユニット４ｄは、通信信号の多重制御を行う多重処理部４３ｄと、通信信号を光伝送フレームへと変換する高速インタフェース部４４ｄとを備える。
【００２８】
次に、図４で示した制御基板５と通信ユニット４を有する伝送装置の処理について説明する。
ＰＤＨ／ＳＤＨ信号用通信ユニット４ａは、クライアント信号としてＳＤＨ／ＰＤＨ信号を受け取ると、当該ＳＤＨ／ＰＤＨ信号を制御基板５（スイッチカード）へ出力する。
なお、クライアント信号の送信元は、無線ネットワークの場合は基地局装置、固定網の場合は回線交換機、専用線サービスの場合はユーザビル等に設けられた送信装置、その他通信インフラの場合はデータセンタやキャリアビル等に設けられた送信装置から送られてくる信号である。
制御基板５（スイッチカード）のＴＤＭスイッチ４５は、信号を受け取ると、予め定められた出力先である、無線伝送用通信ユニット４ｃまたは光伝送用通信ユニット４ｄへ通信信号を出力する。例えば、無線信号により他の通信先の装置へ出力する場合には、ＴＤＭスイッチ４５は、無線伝送用通信ユニット４ｃへ通信信号を出力する。
【００２９】
そして、無線伝送用通信ユニット４ｃのＴＤＭ終端４１ｃが、ＴＤＭスイッチ４５から入力された通信信号を終端する。そして、多重処理部４３ｃが通信信号の多重制御を行う。また無線フレーム変換部４４ｃが、多重された通信信号を無線フレームへと変換する。そして、無線フレーム変換部４４ｃは、無線通信処理部へ無線フレームを出力し、無線通信処理部がアンテナを介して無線信号を電波により出力する。
【００３０】
他方、振り分け処理により、光伝送信号により他の通信先の装置へ出力する場合には、ＴＤＭスイッチ４５は、光伝送用通信ユニット４ｄへ通信信号を出力する。そして、光伝送用通信ユニット４ｄのＴＤＭ終端４１ｄが、ＴＤＭスイッチ４５から入力された通信信号を終端する。そして、多重処理部４３ｄが通信信号の多重制御を行う。また高速インタフェース部４４ｄが、多重された通信信号を光伝送信号へと変換する。そして、高速インタフェース部４４ｄは、光通信処理部へ光伝送フレームを出力し、光通信処理部が光伝送信号を出力する。
【００３１】
次に、パケット信号用通信ユニット４ｂがクライアント信号を入力した場合の例について説明する。
パケット信号用通信ユニット４ｂは、クライアント信号としてパケット信号を受け取ると、当該パケット信号を制御基板５（スイッチカード）へ出力する。制御基板５（スイッチカード）のパケットスイッチ４６は信号を受け取ると、振り分け処理によって、予め定められた出力先である、無線伝送用通信ユニット４ｃまたは光伝送用通信ユニット４ｄへ通信信号を出力する。
フロー単位の振り分け規則は、ＶＬＡＮ、ＭＰＬＳヘッダ、ＭＡＣアドレス、ＩＰアドレス等により行われる。ここで、例えば、無線信号により他の通信先の装置へ出力する場合には、パケットスイッチ４６は、無線伝送用通信ユニット４ｃへ通信信号を出力する。
【００３２】
そして、無線伝送用通信ユニット４ｃのパケット終端４２ｃが、パケットスイッチ４６から入力した通信信号を終端する。そして、多重処理部４３ｃが通信信号の多重制御を行う。また無線フレーム変換部４４ｃが、多重された通信信号を無線フレームへと変換する。そして、無線フレーム変換部４４ｃは、無線通信処理部へ無線フレームを出力し、無線通信処理部がアンテナを介して無線信号を出力する。
【００３３】
他方、振り分け処理により、光伝送信号により他の通信先の装置へ出力する場合には、パケットスイッチ４６は、光伝送用通信ユニット４ｄへ通信信号を出力する。そして、光伝送用通信ユニット４ｄのパケット終端４２ｄが、ＴＤＭスイッチ４５から入力された通信信号を終端する。そして、多重処理部４３ｄが通信信号の多重制御を行う。また高速インタフェース部４４ｄが、多重された通信信号を光伝送信号へと変換する。そして、高速インタフェース部４４ｄは、光通信処理部へ光伝送フレームを出力し、光通信処理部が光伝送信号を出力する。
以上、クライアント信号を無線伝送路、および光伝送路へ多重化する方向について説明したが、無線伝送路、光伝送路からクライアント信号への分離方向については、逆方向の処理を行う。
【００３４】
図５は、制御基板と通信ユニットの信号の接続構成を示す第２の図である。
当該図５で示す接続構成では、光伝送用通信ユニット４ｄとして、ＳＤＨインタフェースカードを用いた場合の例を示している。ＳＤＨインタフェースカードは、高速インタフェースカードの具体例であり、その機能ブロックは、図４で示した光伝送用通信ユニット４ｄの機能ブロックと同様である。
ＳＤＨインタフェースカードでは、ＴＤＭスイッチ４５から受け取った信号をＴＤＭ終端４１ｄにて終端し、パケットスイッチ４６から受け取った信号はパケット終端部４２ｄにおいて、パケット終端および、ＳＤＨフレームへの変換を行う。それぞれの終端処理とてしては、各レイヤでのフレーム処理等を行う。ＳＤＨフレーム変換処理としては、ＧＦＰ、ＶＣＡＴ技術を用いる。
そして、多重処理部４３ｄが通信信号の多重制御を行い、高速インタフェース部４４ｄは、光伝送処理部へ光伝送フレームを出力し、光伝送処理部が光伝送信号を出力する。
【００３５】
図６は、制御基板と通信ユニットの信号の接続構成を示す第３の図である。
当該図６で示す接続構成では、図４で示したＳＤＨ／ＰＤＨ信号用通信ユニット４ａの代わりに、ＰＷＥ（Pseudo Wire Emulation）インタフェース通信ユニット４ｅを備えたものである。当該ＰＷＥインタフェース通信ユニット４ｅは、pseudo-wire技術によりＳＤＨ／ＰＤＨ信号をパケット信号に変換する機能を備えている。
また、図６で示す接続構成では、図４で示した光伝送用通信ユニット４ｄとして、Ethernet（登録商標）インタフェースカードを用いた場合の例を示している。
また、図６で示す無線伝送用通信ユニット４ｃは、ＴＤＭ終端４１ｃを備えておらず、また図６で示す光伝送用通信ユニット４ｄも、ＴＤＭ終端４１ｄを備えていない。
図６で示す構成によれば、Ethernet（登録商標）インタフェースカードでは、パケットスイッチ４６から受け取った信号をパケット終端４２ｄにて終端し、多重処理部４３ｄが通信信号の多重制御を行い、高速インタフェース部４４ｄは、光伝送処理部へ光伝送フレームを出力し、光伝送処理部が光伝送信号を出力する。
また、無線伝送用通信ユニット４ｃにおいては、ＰＷＥインタフェース通信ユニット４ｅから出力されたパケット信号をパケットスイッチ４６を介して入力した場合、そのパケット信号をパケット終端４２ｃが終端する。そして、多重処理部４３ｃが通信信号の多重制御を行う。また無線フレーム変換部４４ｃが多重された通信信号を無線フレームへと変換する。そして、無線フレーム変換部４４ｃは、無線通信処理部へ無線フレームを出力し、無線通信処理部がアンテナを介して無線信号を電波により出力する。
【００３６】
図７は、制御基板と通信ユニットの信号の接続構成を示す第４の図である。
この図で示す制御基板と通信ユニットの接続構成は、図４の構成に加えて、ＰＷＥインタフェース通信ユニット４ｅを伝送装置２のスロットに通信ユニット４として別途備えたものである。
そしてこの構成においては、ＴＤＭスイッチ４５が振り分け処理により光伝送用通信ユニット４ｄへ通信信号を出力すると決定した場合には、当該信号を外部のＰＷＥインタフェース通信ユニット４ｅへ出力する。
ここで、ＰＷＥインタフェース通信ユニット４ｅはパケットスイッチ４６に接続されている。したがって、ＰＷＥインタフェース通信ユニット４ｅは、ＳＤＨ／ＰＤＨ信号をパケット信号に変換し、制御基板５のパケットスイッチ４６へ出力する。そして、パケットスイッチ４６は、パケット通信信号に変換された信号を、光伝送用通信ユニット４ｄへ出力する。
なお図７で示す接続構成は、図４で示した光伝送用通信ユニット４ｄとして、Ethernet（登録商標）インタフェースカードを用いた場合の例を示している。
そして、図７で示す構成によれば、Ethernet（登録商標）インタフェースカードでは、パケットスイッチ４６から入力した信号をパケット終端４２ｄにて終端し、多重処理部４３ｄが通信信号の多重制御を行い、高速インタフェース部４４ｄは、光伝送処理部へ光伝送フレームを出力し、光伝送処理部が光伝送信号を出力する。
【００３７】
伝送装置２が、図６や図７のような構成を取れば、Pseudo-Wire技術によるＳＤＨ／ＰＤＨ信号をパケット信号へ変換する通信ユニットを伝送装置２のスロットに挿入することにより、制御基板内にパケットスイッチのみを保持するような伝送装置２に対して、ＳＤＨ／ＰＤＨ信号を無線信号または光伝送信号に変換して適応する側に出力するような伝送装置２を提供することができる。
【００３８】
他方、ＴＤＭスイッチ４５が振り分け処理により無線伝送用通信ユニット４ｃへ通信信号を出力すると決定した場合には、ＴＤＭスイッチ４５は、無線伝送用通信ユニット４ｃへ通信信号を出力する。
そして、無線伝送用通信ユニット４ｃのＴＤＭ終端４１ｃが、ＴＤＭスイッチ４５から入力された通信信号を終端する。そして、多重処理部４３ｃが通信信号の多重制御を行い、無線フレーム変換部４４ｃが多重された通信信号を無線フレームへと変換する。そして、無線フレーム変換部４４ｃは、無線通信処理部へ無線フレームを出力し、無線通信処理部がアンテナを介して無線信号を電波により出力する。
【００３９】
ここで、無線伝送用通信ユニット４ｃや光伝送用通信ユニット４ｄが制御基板５とそれぞれ接続される伝送ケーブルには、クライアントと接続されたインタフェースから入力されたＥ１信号（欧州の階層化規格における信号）およびＥｔｈｅｒｎｅｔ（登録商標）信号が、特定の同一フレームを構成して多重された信号が伝送することとなる。
そして制御基板５は、無線伝送用通信ユニット４ｃや光伝送用通信ユニット４ｄが通信相手との間で送受信する無線信号または光伝送信号に含まれる、特定のＥ１チャネル（Ｃｈ）、または特定のＥｔｈｅｒｎｅｔ（登録商標）信号にエラー（障害）が発生したか否かを検出する。
そして制御基板５は、無線信号または光伝送信号に含まれるＥ１信号についてはエラーの発生したＥ１チャネル（Ｃｈ）についてのみ、また、無線信号または光伝送信号に含まれるＥｈｅｒｎｅｔ信号についてはエラーの発生したフレームについてのみを、当該エラーの発生した無線信号または光伝送信号の何れか一方(例えば無線信号)から、他方の正常な信号(例えば光信号)へ切り替えて送出する。
【００４０】
また、無線伝送信号または光伝送信号に多重される全ての信号にエラーが発生した場合は、無線信号または光伝送信号のうちのエラーの発生した一方の信号(例えば無線信号)を用いた信号送出から、他方の信号(例えば光伝送信号)を用いた信号送出へと切り替える。
このようにして、無線伝送路と光伝送路による冗長構成をとることにより、悪天候による無線伝送路に対する異常発生や、地震等の激甚災害による光ファイバ断時等による伝送路異常が発生した場合でも、故障救済が可能となる。
【００４１】
以上本発明について説明したが、上述の制御基板と通信ユニットの信号の接続構成によれば、クライアントから入力された回線信号に対して冗長構成をとるため、環境、激甚災害などの変動時において、光ファイバなどが切断された場合には、光伝送信号による出力から無線信号による出力に変更し、伝送路を確保することが可能となる。また、環境悪化により無線伝送帯域に制約が出た場合は光伝送により補完することができる。
【００４２】
上述の伝送装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。
【００４３】
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【産業上の利用可能性】
【００４４】
本発明によれば、Pseudo-Wire技術によるＳＤＨ／ＰＤＨ信号をパケット信号へ変換する通信ユニットを伝送装置のスロットに挿入することにより、制御基板内にパケットスイッチのみを保持するような伝送装置に対して、ＳＤＨ／ＰＤＨ信号用の信号を、無線信号または光伝送信号に変換して適応する側に出力することができる。
また、入力された信号に対して冗長構成を取り、無線信号による出力または光伝送による出力を適応的に振り分けることができるため、環境、激甚災害などの変動時にも信頼性の高い通信の転送をすることができる。
【符号の説明】
【００４５】
２…伝送装置
３…筐体
４…通信ユニット
４ａ…ＳＤＨ／ＰＤＨ信号用通信ユニット
４ｂ…パケット信号用通信ユニット
４ｃ…無線伝送用通信ユニット
４ｄ…光伝送用通信ユニット
５…制御基板
６…ファンユニット
７…電源ユニット（電源用基板）
８…外部機器接続用基板
４１ｃ，４１ｄ…ＴＤＭ終端
４２ｃ，４２ｄ…パケット終端
４３ｃ，４３ｄ…多重処理部
４４ｃ…無線フレーム変換部
４４ｄ…高速インタフェース部
【図１】
2012160932.tif 000003
【図２】
2012160932.tif 000004
【図３】
2012160932.tif 000005
【図４】
2012160932.tif 000006
【図５】
2012160932.tif 000007
【図６】
2012160932.tif 000008
【図７】
2012160932.tif 000009
【国際調査報告】
2012160932.tif 000010
2012160932.tif 000011
2012160932.tif 000012
2012160932.tif 000013